(57)【要約】【課題】  色温度が高く、実用的な本質的に水銀不含のメタルハライドランプを提供する。【解決手段】  本発明のメタルハライドランプは、内部に放電空間１２が形成された放電部１１を有する気密容器１と、放電空間１２に封入された、スカンジウムハロゲン化物に対するナトリウムハロゲン化物のモル比が１．５以下である金属ハロゲン化物２および８ａｔｍ以上であるキセノンを含み、水銀は本質的に含まない放電媒体と、先端が放電空間１２内で対向配置された一対の電極３ａ２、３ｂ２とを具備し、金属ハロゲン化物２に結合されたハロゲン原子は大部分がヨウ素原子と臭素原子であり、その臭素原子の割合が１０％以上、５０％以下であるとともに、金属ハロゲン化物２の総封入量が０．０２ｍｇ／μｌ以下である。【選択図】  図１
2008123742.tif 000002
【特許請求の範囲】
【請求項１】
内部に放電空間が形成された放電部を有する気密容器と、前記放電空間に封入された、スカンジウムハロゲン化物に対するナトリウムハロゲン化物のモル比が１．５以下である金属ハロゲン化物および８ａｔｍ以上であるキセノンを含み、水銀は本質的に含まない放電媒体と、先端が前記放電空間内で対向配置された一対の電極とを具備し、
前記金属ハロゲン化物に結合されたハロゲン原子は大部分がヨウ素原子と臭素原子であり、その臭素原子の割合が１０％以上、５０％以下であるとともに、前記金属ハロゲン化物の総封入量が０．０２ｍｇ／μｌ以下であることを特徴とするメタルハライドランプ。
【請求項２】
前記金属ハロゲン化物はＣＩＥ１９３１ｘｙ色度図上において、ｙ値を減少させる色度調整用の金属ハロゲン化物をさらに含むことを特徴とする請求項１に記載のメタルハライドランプ。
【請求項３】
前記色度調整用の金属ハロゲン化物はインジウムハロゲン化物または／および亜鉛ハロゲン化物であることを特徴とする請求項２に記載のメタルハライドランプ。
【発明の詳細な説明】
【技術分野】
【０００１】
本発明は、自動車の前照灯等に使用される本質的に水銀を含まないメタルハライドランプに関するものである。
【背景技術】
【０００２】
水銀を含まないメタルハライドランプ（以下、水銀フリーランプ）は、例えば、特開２００４−２８８６２９号公報（以下、特許文献１）などにより公知である。現在、水銀フリーランプの放電媒体は、主にナトリウム−スカンジウム系の金属ハロゲン化物とキセノンにより構成され、水銀入りのメタルハライドランプと同等、またはそれ以上の特性が得られるようになっている。この他、ナトリウム−スカンジウム系の水銀フリーランプの発明としては、特開平１１−２３８４８８号公報（以下、特許文献２）、特開２００２−９３３６８号公報（以下、特許文献３）などが知られている。なお、これらの特許文献に記載の水銀フリーランプは、４０００Ｋ前後の色温度を目標とするランプの発明である。
【０００３】
一方、最近では５０００Ｋを超えるような高色温度の水銀フリーランプのニーズがあり、研究開発が進められている。
【０００４】
【特許文献１】特開２００４−２８８６２９号公報
【特許文献２】特開平１１−２３８４８８号公報
【特許文献３】特開２００２−９３３６８号公報
【発明の開示】
【発明が解決しようとする課題】
【０００５】
ナトリウム−スカンジウム系の水銀フリーランプにおいて、高い色温度を実現するためには、スカンジウムハロゲン化物とナトリウムハロゲン化物の封入バランスが最も重要である。しかしながら、５０００Ｋ以上になるように封入バランスを調節すると、ランプ電圧が高くなりすぎて、ちらつき等の問題が生じてしまうほか、ランプが暗くなってしまい実用的なランプを実現することが困難である。
【０００６】
本発明は、上記のような課題に鑑みたもので、その目的は色温度が高く、実用的な本質的に水銀不含のメタルハライドランプを提供することである。
【課題を解決するための手段】
【０００７】
上記目的を達成するために、本発明のメタルハライドランプは、内部に放電空間が形成された放電部を有する気密容器と、前記放電空間に封入された、スカンジウムハロゲン化物に対するナトリウムハロゲン化物のモル比が１．５以下である金属ハロゲン化物および８ａｔｍ以上であるキセノンを含み、水銀は本質的に含まない放電媒体と、先端が前記放電空間内で対向配置された一対の電極とを具備し、前記金属ハロゲン化物に結合されたハロゲン原子は大部分がヨウ素原子と臭素原子であり、その臭素原子の割合が１０％以上、５０％以下であるとともに、前記金属ハロゲン化物の総封入量が０．０２ｍｇ／μｌ以下であることを特徴とする。
【発明の効果】
【０００８】
本発明によれば、色温度が高く、実用的な本質的に水銀不含のメタルハライドランプを提供することができる。
【発明を実施するための最良の形態】
【０００９】
（第１の実施の形態）
以下に、本発明の実施の形態のメタルハライドランプについて図面を参照して説明する。図１は、本発明のメタルハライドランプの第１の実施の形態について説明するための全体図である。
【００１０】
メタルハライドランプの放電容器を構成する気密容器１は、石英ガラスからなる細長い形状であって、その略中央部には略楕円形の放電部１１が形成されている。放電部１１の両端部には、板状の封止部１２ａ、１２ｂが形成されており、さらにその両端には、筒状の非封止部１３ａ、１３ｂが形成されている。なお、気密容器１は石英ガラスのみならず、セラミック等の耐熱性や透光性に優れた材料で構成してもよい。
【００１１】
放電部１１の内部には、軸方向において、中央が略円柱状、両端がテーパ状の放電空間１４が形成されている。この放電空間１４の容積は、自動車の前照灯用として用途を指定する場合、１０〜４０μｌであるのが望ましい。
【００１２】
放電空間１４には、金属ハロゲン化物２および希ガスを含む放電媒体が封入されている。
【００１３】
金属ハロゲン化物２は、スカンジウムハロゲン化物、ナトリウムハロゲン化物とを含んでいる。そのスカンジウムハロゲン化物に対するナトリウムハロゲン化物のモル比は、色温度を５０００Ｋ以上にするために１．５以下としている。本実施の形態では、上記金属ハロゲン化物に加え、さらに色度調整用の金属ハロゲン化物を封入している。色度調整用の金属ハロゲン化物とは、「ＣＩＥ１９３１ｘｙ色度図上において、ｙ値を減少させる作用をする金属ハロゲン化物」であり、例えばインジウムハロゲン化物や亜鉛ハロゲン化物が挙げられる。なお、目的に合わせて、スズハロゲン化物、セリウムハロゲン化物等をさらに付加してもよい。ちなみに、金属ハロゲン化物２の総封入量は、０．０２ｍｇ／μｌ以下である。
【００１４】
ここで、金属ハロゲン化物２に結合されるハロゲン原子としては、ヨウ素原子と臭素原子が用いられており、それらがハロゲン原子の大部分を占めている。「大部分」とは、使用されるハロゲン原子のうち、全体の８０％以上がヨウ素原子と臭素原子とであることを意味する。すなわち、一部、塩素原子等のハロゲン原子を混在させてもよい。そして、全ハロゲン原子のうち、臭素原子の割合が１０％以上、５０％以下としている。本実施の形態では、ヨウ化ナトリウム、ヨウ化スカンジウム、臭化インジウムで構成している。なお、金属とヨウ素原子、臭素原子の結合の組み合わせに関して制限はなく、例えば、スカンジウムとインジウムをヨウ化物、ナトリウムを臭化物としてもよい。また、ナトリウムとスカンジウムをヨウ化物、インジウムをヨウ化物と臭化物のように、一つの金属についてヨウ化物と臭化物を結合させて使用してもよい。
【００１５】
希ガスとしては、キセノンが封入されている。キセノンは、始動直後の発光効率が高く、主に始動用ガスとして作用する。また、発光色が青色系であるので、色温度を高める作用も得られるほか、全光束を十分に高くするために重要である。このキセノンの封入圧力は、室温（２５℃）において８ａｔｍ以上である。ちなみに、キセノンの占める割合が十分に高ければ、他の希ガス、例えばアルゴンと混合して８ａｔｍ以上とすることも許容される。
【００１６】
ここで、放電空間１４には、本質的に水銀は含まれていない。この「本質的に水銀不含」とは、水銀を全く含まないか、または従来の水銀入りの放電ランプと比較してもほとんど封入されていないに等しい程度の量、例えば１ｍｌあたり２ｍｇ未満、好ましくは１ｍｇ以下の水銀量が存在していても許容するものとする。
【００１７】
封止部１２ａ、１２ｂの内部には、マウント３ａ、３ｂが封止されている。
マウント３ａ、３ｂは、金属箔３ａ１、３ｂ１、電極３ａ２、３ｂ２、コイル３ａ３、３ｂ３、外部リード線３ａ４、３ｂ４からなる。
【００１８】
金属箔３ａ１、３ｂ１、例えば、モリブデンからなる薄い金属板である。
【００１９】
電極３ａ２、３ｂ２は、直棒状で、タングステンを主体とする材料、例えばタングステンに酸化トリウムをドープした材料からなる。その先端は放電空間１４内で所定の電極間距離を保った状態で、対向配置されている。ここで、上記「所定の電極間距離」は、ショートアーク形ランプでは５ｍｍ以下、自動車の前照灯に使用する場合はさらに４．２ｍｍ程度であるのが望ましい。
【００２０】
一方、基端側は金属箔３ａ１、３ｂ１の放電部１１側の端部に溶接によって接続されている。すなわち、金属箔３ａ１、３ｂ１との接合部分から放電空間１４までの電極部分は、封止部１２ａ、１２ｂの石英ガラスに封着されている。
【００２１】
コイル３ａ３、３ｂ３は、例えば、ドープタングステンからなり、金属箔３ａ１、３ｂ１の端部から放電空間１４方向に向けて電極３ａ２、３ｂ２に螺旋状に巻装されている。
【００２２】
外部リード線３ａ４、３ｂ４は、例えば、モリブデンからなり、放電部１１に対して反対側の金属箔３ａ１、３ｂ１の端部に、溶接等により接続されている。そして、外部リード線３ａ４、３ｂ４の他端側は、管軸に沿って封止部１２ａ、１２ｂの外部に延出している。なお、外部に延出した前端側のリード線３ｂ４には、ニッケルからなるＬ字状のサポートワイヤ３ｃの一端が接続され、その他端は、後述するソケット６の方向に延出している。そして、管軸と平行するサポートワイヤ３ｃの部分には、セラミックからなる絶縁スリーブ４が被覆されている。
【００２３】
上記で構成された気密容器１の外側には、石英ガラスにチタン、セリウム、アルミニウム等の酸化物を添加することにより、紫外線を遮断する作用を有する筒状の外管５が、管軸に沿って気密容器１と略同心状に設けられている。それらの接続は、気密容器１両端の筒状の非封止部１３ａ、１３ｂと外管５の両端部を溶融することにより行なわれている。そして、気密容器１と外管５とにより形成された空間には、例えば、窒素やネオン、アルゴン、キセノン等の希ガスを一種または混合して封入したりすることができる。
【００２４】
気密容器１を内部に覆った状態の外管５の非封止部１３ａ側には、ソケット６が接続される。それらの接続は、非封止部１３ａ付近の外管５の外周面に装着された金属バンド７１を、ソケット６の気密容器１保持側の開口端に形成された４本の金属製の舌片７２（図１では、２本を図示）により挟持することによって行なわれている。そして、接続をさらに強化するために、金属バンド７１および舌片７２の接触点を溶接している。なお、ソケット６の底部には底部端子８ａが形成されており、リード線３ａ４と接続されている。また、ソケット６の側部には底部端子８ｂが形成されており、サポートワイヤ３ｃと接続されている。
【００２５】
これらで構成されたメタルハライドランプは、管軸が略水平の状態で配置され、底部端子８ａ、側部端子８ｂに点灯回路（図示なし）が電気的に接続され、始動時、安定時電力に対して２倍以上の電力、例えば始動時が約７５Ｗ、安定時が約３５Ｗの電力が供給され、点灯される。
【００２６】
図２に基づき、本発明のメタルハライドランプの一実施例を説明する。なお、全封入ハロゲン原子におけるＢｒ原子の割合は、Ｂｒ原子の個数／全ハロゲン原子の個数により、計算している。また、以下に示す様々な試験は、特に言及しない限り寸法、材料等はこの仕様に基づいて行っている。
【００２７】
放電容器１：石英ガラス製、放電空間１４の容積＝２５μｌ、内径Ａ＝２．５ｍｍ、外径Ｂ＝６．２ｍｍ、長手方向の球体長Ｃ＝７．８ｍｍ、
金属ハロゲン化物２：ＳｃＩ３＝０．２０ｍｇ、ＮａＩ＝０．０８ｍｇ、ＺｎＩ２＝０．０１ｍｇ、ＩｎＢｒ＝０．１４ｍｇ、総封入量＝０．０１７ｍｇ／μｌ、（ＳｃＩ３に対するＮａＩのモル比＝１．１４、全封入ハロゲン原子におけるＢｒの割合＝２６．４％）
希ガス：キセノン＝１０．０ａｔｍ、
水銀：０ｍｇ、
金属箔３ａ１、３ｂ１：モリブデン製、
電極３ａ２、３ｂ２：トリエーテッドタングステン製、直径Ｒ＝０．３３ｍｍ、電極間距離Ｄ＝４．４ｍｍ、
コイル３ａ３、３ｂ３：ドープタングステン製、コイル直径＝０．０６ｍｍ、コイルピッチ＝２５０％、
外部リード線３ａ４、３ｂ４：モリブデン製、直径＝０．６ｍｍ、
点灯条件：点灯直後７５Ｗ（２．８Ａ）、安定時３５Ｗ（０．７Ａ）
上記実施例においては、色温度は５５００Ｋ、ランプ電圧は５２Ｖ、全光束は２３５０ｌｍというランプ特性を実現している。
【００２８】
図３は、ＳｃＩ３に対するＮａＩのモル比を変化させたときの色温度およびランプ電圧の変化を説明するための図である。
【００２９】
結果からわかるように、ＳｃＩ３に対するＮａＩのモル比が低くなるほど色温度は高くなっていき、１．５のときに５０００Ｋの色温度を達成できることがわかる。すなわち、５０００Ｋの色温度を得るには、ＳｃＩ３に対するＮａＩのモル比を１．５以下にすれば良い。一方で、ランプ電圧もＳｃＩ３に対するＮａＩのモル比が低くなるほど高くなり、１．５以下になればランプ電圧が５０Ｖ以上になる。ちなみに、図３の結果は、スカンジウムやナトリウムに結合されるハロゲン原子の種類が異なってもほぼ同様の結果になる。
【００３０】
ここで、水銀フリーランプは、ちらつきが発生しやすいランプとして知られている。特にランプ電圧が高すぎると、安定時の電極の電流密度が低くなるため、ちらつきやすい。したがって、ランプ電圧を好適な範囲に保たなければならない。そこで、ランプ電圧を下げるための一手段として、キセノン圧を低くする方法があるが、キセノン圧を低くすると全光束が著しく低下してしまい、自動車の前照灯等の用途において実用的な明るさが得られない。したがって、キセノン圧を下げるのは好適ではなく、むしろ８ａｔｍ以上で封入する必要がある。なお、キセノン圧の上限は特にないが、２０ａｔｍ以下であるのが望ましい。
【００３１】
そこで、発明者はランプ電圧を低くする他の手段として、ハロゲン原子に着目した。図４は、上記実施例について、ヨウ素原子と臭素原子の割合を変化させたときのランプ特性の変化を説明するための図である。
【００３２】
結果からわかるように、臭素原子が増すほどランプ電圧が低下することがわかる。つまり、臭素原子の割合を調整することでランプ電圧を好適な値にすることができる。が、臭素原子の増加は、金属ハロゲン化物２が堆積している放電部１１下部の温度低下を招くことが明らかになった。すなわち、金属ハロゲン化物２が蒸気化しにくくなり、全光束の低下や光束立ち上がりの遅延等に影響を与えてしまう。このような理由から、臭素原子の割合が高すぎるのは好適ではなく、５０％以下であるのが望ましい。
【００３３】
一方で、臭素原子の割合が低い場合、ちらつきが発生しやすいことが確認された。これは、安定時の電流密度の低下によるものが原因と考えられる。また、ヨウ素原子が多い場合、電極が著しく溶融しやすいことがわかった。このような理由から、臭素原子の割合は１０％以上であるのが望ましい。
【００３４】
上述のように、スカンジウムハロゲン化物に対するナトリウムハロゲン化物のモル比を小さくすることにより、色温度が高くなることを説明したが、この色温度変化に伴う色度変化は、ＣＩＥ１９３１ｘｙ色度図上において、ほぼ色度ｘのみが小さくなる変化となる。具体的には、図５に示すα地点の色度のランプ（色温度４１００Ｋ、色度ｘ＝０．３８０、色度ｙ＝０．３８７、全光束３１００ｌｍ）について、スカンジウムハロゲン化物とナトリウムハロゲン化物の総量は変えないでモル比のみ変化させて色温度を５０００Ｋにすると、色度図上ではα’地点に変化する。このα’の色度のランプはＪＩＳ規格に定められた白色範囲Ｚ外の色度であるため、望ましいランプではない。
【００３５】
α’地点の色度のランプを白色範囲Ｚ内に入れるためには、ｙ値を下げる色度調整用の金属ハロゲン化物として封入する必要がある。色度調整用の金属ハロゲン化物としては、インジウムや亜鉛のハロゲン化物が好適であり、これらを適量封入すれば、β地点（色温度５０００Ｋ、色度ｘ＝０．３４５、色度ｙ＝０．３６０、全光束２６５０ｌｍ）に色度を移動させることができる。ただし、インジウムや亜鉛のハロゲン化物は、全光束を下げたり、ランプ電圧を上げたりする作用もあるため、スカンジウムハロゲン化物およびナトリウムハロゲン化物に対するインジウムハロゲン化物または／および亜鉛ハロゲン化物のモル比は２．０以下であるのが望ましい。なお、色温度が５５００Ｋのランプを作成する場合も同様に、スカンジウムハロゲン化物とナトリウムハロゲン化物のモル比を変化させた後、色度調整用の金属ハロゲン化物でｙ値を減少させることにより、γ地点（色温度５５００Ｋ、色度ｘ＝０．３３２、色度ｙ＝０．３５５、全光束２５５０ｌｍ）の色度のランプを実現することができる。なお、最終的に金属ハロゲン化物２の総封入量は、ランプ電圧を考慮して０．０２ｍｇ／μｌ以下となるようにする必要がある。
【００３６】
したがって、本実施の形態では、スカンジウムハロゲン化物に対するナトリウムハロゲン化物のモル比が１．５以下である金属ハロゲン化物２および８ａｔｍ以上であるキセノンを含む水銀フリータイプのメタルハライドランプにおいて、結合されたハロゲン原子の大部分がヨウ素原子と臭素原子である金属ハロゲン化物２の臭素原子の割合を１０％以上、５０％以下とし、かつ金属ハロゲン化物２の総封入量を０．０２ｍｇ／μｌ以下とすることにより、色温度が５０００Ｋ以上で、かつ明るくてちらつきにくい実用的なメタルハライドランプを実現することができる。これに加え、インジウムハロゲン化物または／および亜鉛ハロゲン化物をさらに含む構成にすることにより、ＣＩＥ１９３１ｘｙ色度図上において、ｙ値を減少させることができ、色度ｘｙがＪＩＳ規格に定められた白色範囲を満たすメタルハライドランプを実現することができる。
【図面の簡単な説明】
【００３７】
【図１】本発明のメタルハライドランプの第１の実施の形態について説明するための全体図。
【図２】本発明のメタルハライドランプの一実施例を説明するための図。
【図３】ＳｃＩ３に対するＮａＩのモル比を変化させたときの色温度およびランプ電圧の変化を説明するための図。
【図４】ヨウ素原子と臭素原子の割合を変化させたときのランプ特性の変化を説明するための図。
【図５】ＣＩＥ１９３１ｘｙ色度図上における色度の変化について説明するための図。
【符号の説明】
【００３８】
１  気密容器
１１  放電部
１２ａ、１２ｂ  封止部
１３ａ、１３ｂ  非封止部
１４  放電空間
２  金属ハロゲン化物
３ａ、３ｂ  マウント
３ａ１、３ｂ１  金属箔
３ａ２、３ｂ２  電極
３ａ３、３ｂ３  コイル
３ａ４、３ｂ４  外部リード線
３ｃ  サポートワイヤ
４  絶縁チューブ
５  外管
６  ソケット
７１  金属バンド
７２  舌片
８ａ  底部端子
８ｂ  側部端子
【図１】
2008123742.tif 000003
【図２】
2008123742.tif 000004
【図３】
2008123742.tif 000005
【図４】
2008123742.tif 000006
【図５】
2008123742.tif 000007